(57)【特許請求の範囲】
【請求項１】
ランプが装着されるソケットが取り付けられた器具本体と、非円形の配光を有し前記ランプの周を被うように配設される反射鏡と、この反射鏡を収容するように前記器具本体に取り付けられたセードとを備え、前記反射鏡を前記セードに固定すると共に、前記セードの器具本体側に前記ランプが挿通される円孔を設けて前記セードを前記ランプの中心軸を中心として回動自在に前記器具本体に取り付けて、前記セードを回動させることにより配光を可変としてなる照明器具において、前記セードの器具本体側であって前記円孔の外側に、前記ランプの中心軸と同一中心をもつ一対の円弧状孔を、それぞれ異なる半径を有し中心角が少なくとも１８０度となるように前記円孔を挟んで対向させて設けると共に、前記器具本体の前記円弧状孔に対向する部位に前記セードの取付ねじがねじ込まれる異なるねじ孔を設けて、前記取付ねじにより前記セードを前記器具本体に取り付けたことを特徴とする照明器具。
【発明の詳細な説明】
【０００１】
【発明の属する技術分野】
本発明は、照明器具に関し、特に非円形の配光を有する反射鏡を備えて、配光が可変とされた照明器具に関するものである。
【０００２】
【従来の技術】
図１０乃至図１２は、従来の照明器具（第１の従来例）を示すもので、この照明器具は、天井に埋め込み取り付けされるダウンライトであって、器具本体１の内部にソケット２を設けてランプ３を装着し、このランプ３の周を被うように反射鏡４を設け、ランプ３と反射鏡４とを一体に方向を変えることができるようにすると共に、照射角を変えることができるようにしたものである。
【０００３】
器具本体１は、下方に開口した略筒状の取付体５と、その取付体５の内部に回動及び首振り自在に設けられた略球体状をなす灯具６とにより構成されており、取付体５の側面には外方に突出して器具本体１を天井に取り付けるための板ばね状の取付具７が設けられると共に、取付体５の内部には灯具６を側方から保持する複数の灯具受け具８が設けられている。そして、灯具６を首振り及び回動させて、照射方向を変更できるようにされている。
【０００４】
灯具６は、下部に円形の開口を有しその天面に下方に向けてランプ３を装着するソケット２が設けられた略球殻状の灯具本体９と、ランプ３の周を覆って灯具本体９に収容された略円筒状のガイド体１０と、そのガイド体１０内に上下方向に摺動自在に収容された略円筒状のスライド体１１、及びランプ３の周を囲んでスライド体１１に取り付けられたガラス製の反射鏡４とを備えて構成されている。スライド体１１とガイド体１０とは、ガイド体１０の側面に傾斜して形成されたガイド溝１０ａに、スライド体１１に設けられた支持孔１１ａにスライド体１１の内側から押さえ具１２によりはめ込まれた略球状の支持ボール１３をはめ込むことにより、スライド体１１を回動させればスライド体１１が上下に移動してビーム角を変更することができるようにされている。
【０００５】
図１３は、従来の別の照明器具（第２の従来例）を示すもので、この照明器具は、天井に埋め込み取り付けされるダウンライトであって、略筒状をなす器具本体１の内部の天面にソケット２を設けてランプ３を下向きに装着すると共に、このランプ３の周を被うように配設される非円形の配光である楕円配光を有する反射鏡４の上端に、外方に突出する略環状の係合部４ａを設け、この係合部４ａを器具本体１内部の天面であってソケット２を挟んで対向させて設けた係合ばね１４に係合させて、反射鏡４が保持されるようにされている。また、反射鏡４には、その下端近傍の内面側に突出する少なくとも２つの回転用つまみ４ｂが設けられている。そして、回転用つまみ４ｂにより反射鏡４をランプ３の中心軸の周りに回動させて、配光を可変とできるように構成されている。
【０００６】
図１４は、従来のさらに別の照明器具（第３の従来例）を示すもので、この照明器具は、スポットライトであって、ランプ３が装着されるソケット２が取り付けられた器具本体１と、非円形の配光である楕円配光を有し前記ランプ３の周を被うように配設されると反射鏡４と、この反射鏡４を収容するように前記器具本体１に取り付けられるセード１５、及び反射鏡４の前面側であってセード１５の前面側に取り付けられたグレア防止キャップ１６とを備えて構成されている。そして、グレア防止キャップ１６を外して反射鏡４のセード１５への係止部を緩め、反射鏡４をランプ３の中心軸の周りに回動させて、配光を可変とできるように構成されている。
【０００７】
しかしながら、このように構成された従来の照明器具（第１の従来例）においては、反射鏡４を回動させるためには、ガイド体１０やスライド体１１、押さえ具１２、及び支持ボール１３等が必要であって部品点数が多く、ガイド体１０やスライド体１１の側面に加工を施す必要があるほか、ガイド体１０とスライド体１１とを係合させて回動させる部分が側面から露出して見栄えを損なうおそれがあるという問題点があった。
【０００８】
また、従来の別の照明器具（第２の従来例）においては、反射鏡４を回動させるには、ランプ３と近接しランプ３からの直射光により高温となる反射鏡４の内側に設けた回転用つまみ４ｂをもって行う必要があるという問題点があった。
【０００９】
また、従来のさらに別の照明器具（第３の従来例）においては、反射鏡４を回動させるには、グレア防止キャップ１６を外す必要があるほか、ランプ３と近接しランプ３からの直射光により高温となる反射鏡４を手でもって行う必要があるという問題点があった。
【００１０】
そこで、本願発明者は図１乃至図３に示す提案例を提案した。この照明器具は、スポットライトであって、器具本体１と、反射鏡４、及びセード１５とを有して構成されている。セード１５は、取付ねじ１７をセード１５の円孔１５ａの前面側から器具本体１のねじ孔１ａにねじ込むことにより器具本体１に取り付けられ、このとき、取付ねじ１７の頭部１７ａは、セード１５の円孔１５ａの周端を適度な力で押圧するものの、セード１５に回動する力を加えればセード１５が回動する程度まで締め付けられるようにされている。
【００１１】
この提案例における照明器具においては、セード１５に固定された反射鏡４を、セード１５の背面側に設けた円孔１５ａの周端を取付ねじ１７の頭部１７ａに係合させて器具本体１に回動自在に取り付けているため、円孔１５ａの周端がガイドとなってセード１５は回動し、セード１５を回動させればセード１５にビス１８により固定された反射鏡４が、ランプ３の中心軸を中心として回動して照射面上での非円形の配光である楕円配光の軸を回転させることができ、反射鏡４の高温部に触れることなく容易に配光（照射パターン）を変化させることができる。また、セード１５が円孔１５ａの周端をガイドとして回動するため、セード１５と共に反射鏡４を３６０度回動させることができる。しかしながら、前記提案例では図３に示されるように取付ねじ１７の頭部１７ａがセード１５の円孔１５ａの周端にわずかしかかかっていないという問題がある。
【００１２】
そこで、この問題に対しては、図４乃至図６に示すように、公知の円弧状孔１５ｂを採用して解決する事が考えられた。この照明器具では、セード１５は、その底部にセード１５の中心軸を中心とした円孔１５ａが設けられるとともに、その円孔１５ａの外側に、円孔１５ａと同一中心を有し等しい半径を有する一対の円弧状孔１５ｂを、円孔１５ａを挟んで対向するように設けて構成されている。また、器具本体１には、一対の円弧状孔１５ｂに対向する部位に異なるねじ孔１ｂを設け、この異なるねじ孔１ｂに取付ねじ１７をねじ込んでセード１５を器具本体１に取り付けるようにされている。
【００１３】
【発明が解決しようとする課題】
しかしながら、この照明器具では、取付ねじ１７の頭部１７ａはセード１５にしっかりかかっているが、図６から明らかなように、一対の円弧状孔１５ｂは連続させる事ができないためにセード１５の回動可能な範囲に制約があると言う問題がある。本発明は上記問題点に鑑みてなされもので、その目的とするところは、部品点数を少なくすると共にランプ近傍の高温部に触れることなく容易に配光を変更でき、回動範囲が大きくできながら取付ねじの頭部はセードにしっかりかかっているようにした照明器具を提供することにある。
【００１４】
【課題を解決するための手段】
本発明は上記の問題点を解決するため、請求項１記載の発明にあっては、ランプ３が装着されるソケット２が取り付けられた器具本体１と、非円形の配光を有し前記ランプ３の周を被うように配設される反射鏡４と、この反射鏡４を収容するように前記器具本体１に取り付けられたセード１５とを備え、前記反射鏡４を前記セード１５に固定すると共に、前記セード１５の器具本体側に前記ランプ３が挿通される円孔１５ａを設けて前記セード１５を前記ランプ３の中心軸を中心として回動自在に前記器具本体１に取り付けて、前記セード１５を回動させることにより配光を可変としてなる照明器具において、前記セード１５の器具本体側であって前記円孔１５ａの外側に、前記ランプ３の中心軸と同一中心をもつ一対の円弧状孔１５ｂを、それぞれ異なる半径を有し中心角が少なくとも１８０度となるように前記円孔１５ａを挟んで対向させて設けると共に、前記器具本体１の前記円弧状孔１５ｂに対向する部位に前記セード１５の取付ねじ１７がねじ込まれる異なるねじ孔１ｂを設けて、前記取付ねじ１７により前記セード１５を前記器具本体１に取り付けたことを特徴とするものである。
【００１５】
【発明の実施の形態】
図７乃至図９は、本発明の照明器具の実施の形態を示すものであり、この照明器具は、スポットライトであって、器具本体１と、反射鏡４、及びセード１５とを有して構成されている。
【００１６】
器具本体１は、例えば金属ダイカスト製であって一面側にランプ３を装着するソケット２が取り付けられると共に、その周端近傍に前面側に立設された立ち上がり部１ｃが形成されてなり、その立ち上がり部１ｃの先端には、中心軸を挟んで対向するように前面側からセード１５の取付ねじ１７がねじ込まれるねじ孔１ｂが設けられている。また、立ち上がり部１ｃの外方の側面には器具本体１を構造物に取り付けるための支持脚１ｄが、器具本体１が首振り自在となるように取り付けられている。
【００１７】
反射鏡４は、略椀状の形状であってランプ３の周を覆うように配設されると共に非円形の配光である楕円配光（照射パターン）を有する反射鏡本体４ｃと、略筒状をなし反射鏡本体４ｃを収容すると共に背面側が内側に突出されて反射鏡本体４ｃの背面側に係合し反射鏡本体４ｃを保持する反射鏡保持具４ｄとにより構成されている。また、反射鏡保持具４ｄの背面側には、反射鏡４をセード１５に固定させるための固定ねじ１８の貫通孔（図示せず）が設けられている。
【００１８】
セード１５は、特に限定されるものではないが例えば金属製であって、反射鏡４を収容する大きさを有し背面側が有底の略筒状に形成されると共に、その底部にセード１５の中心軸を中心とした円孔１５ａが設けられている。また、この円孔１５ａの外側に、円孔１５ａと同一中心を有する一対の円弧状孔１５ｂを、半径を異ならせて円孔１５ａを挟んで対向させて配設している。この一対の円弧状孔１５ｂは、その互いの端部がその半径方向に重なるように、つまり、一対の円弧状孔１５ｂの中心角が１８０度以上となるように形成されている。さらに、セード１５は、一対の円弧状孔１５ｂの外方に、反射鏡４を取り付ける固定ねじ１８がねじ込まれる反射鏡固定孔１５ｃが設けられて構成されている。
【００１９】
また、器具本体１には、一対の円弧状孔１５ｂに対向する部位に異なるねじ孔１ｂを設け、この異なるねじ孔１ｂに取付ねじ１７をねじ込んでセード１５を器具本体１に取り付けるようにされている。つまり、セード１５は、取付ねじ１７をセード１５の前面側から一対の円弧状孔１５ｂを挿通して器具本体１の異なるねじ孔１ｂにねじ込むことにより器具本体１に取り付けられ、このとき、取付ねじ１７の頭部１７ａは、セード１５の一対の円弧状孔１５ｂの周を適度な力で押圧するものの、セード１５に回動する力を加えればセード１５が回動する程度まで締め付けられるようにされているのである。
【００２０】
このように本実施の形態における照明器具においては、セード１５に固定された反射鏡４を、セード１５の背面側に設けた一対の円弧状孔１５ｂの周を取付ねじ１７の頭部１７ａに係合させて器具本体１に回動自在に取り付けているため、セード１５を回動させればセード１５に固定ねじ１８により固定された反射鏡４が、ランプ３の中心軸を中心として回動して照射面上での非円形の配光である楕円配光の軸を回転させることができ、反射鏡４の高温部に触れることなく容易に配光（照射パターン）を変化させることができる。また、反射鏡４を回動させるために要する部品点数も少なくてすむほか、その構造も複雑ではなく部品の加工も容易となる。さらには、反射鏡４を回動させる部分が反射鏡４の背面側に設けられて側面側に露出せず見栄えを損なうおそれがなく、また、円弧状孔１５ｂは溝状であって取付ねじ１７を両側からガイドするため、一対の円弧状孔１５ｂをガイドとしてセード１５が容易に回動して、セード１５と共に反射鏡４を回動させ易く、セード１５と共に反射鏡４を１８０度以上回動させることができる。また、セード１５の前面側に透光パネル（図示せず）やグレア防止キャップ（図示せず）等を装着した場合であっても、それらを外すことなくセード１５と共に反射鏡４を回動させることができて、配光を容易に変更できる。
【００２５】
なお、前記実施の形態においては、セード１５を金属製として説明を行ったが、本発明はこれに限らず、セードを樹脂製としたものであっても良く、この場合においては、上述の効果に加えて円弧状孔等を後加工する必要がなくなるという効果をも奏する。
【００２６】
【発明の効果】
このように構成されているため本発明は、セードに反射鏡を固定すると共に、そのセードを器具本体に回動自在に取り付けているため、セードを回動させれば反射鏡もランプの中心軸を中心として回動して、照射面上での非円形の配光を回転させることができ、反射鏡の高温部に触れることなく容易に配光を変化させることができる。また、セードの前面側に透光パネル等を装着した場合であっても、それらを外すことなく反射板を回動させることができて容易に配光を変更できる。円弧状孔は溝状であって取付ねじを両側からガイドするため、一対の円弧状孔をガイドとしてセードが容易に回動して、セードと共に反射鏡を回動させ易くなる。また、反射鏡を回動させるために要する部品点数も少なくてすむほか、その構造も複雑ではなく部品の加工も容易となる。さらには、反射鏡を回動させる部分が反射鏡の背面側に設けられて側面側に露出せず見栄えを損なうおそれがなくなる。一対の円弧状孔の中心角が１８０度以上とされているため、セードと共に反射鏡を１８０度以上回動させることができる。
【図面の簡単な説明】
【図１】  本発明に関する提案例を示す一部断面の正面図である。
【図２】  同上の要部の一部を破断した状態の分解斜視図である。
【図３】  同上のセードを前面側から見た平面図である。
【図４】  本発明に関する異なる提案例を示す一部断面の正面図である。
【図５】  同上の要部の一部を破断した状態の分解斜視図である。
【図６】  同上のセードを前面側から見た平面図である。
【図７】  本発明の照明器具の実施の形態を示す一部断面の正面図である。
【図８】  同上の要部の一部を破断し一部の凹凸を省いた状態の分解斜視図である。
【図９】  同上のセードを前面側から見た平面図である。
【図１０】  従来の照明器具（第１の従来例）を示す断面正面図である。
【図１１】  同上のガイド体を示す斜視図である。
【図１２】  同上のガイド体とスライド体の係合部を示す断面正面図である。
【図１３】  従来の別の照明器具（第２の従来例）を示す一部断面正面図である。
【図１４】  従来のさらに別の照明器具（第３の従来例）を示す一部断面正面図である。
【符号の説明】
１      器具本体
１ａ    ねじ孔
１ｂ    異なるねじ孔
２      ソケット
３      ランプ
４      反射鏡
１５    セード
１５ａ  円孔
１５ｂ  円弧状孔
１７    取付ねじ
１７ａ  頭部
【図１】
0003744071.tif 000002
【図２】
0003744071.tif 000003
【図３】
0003744071.tif 000004
【図４】
0003744071.tif 000005
【図５】
0003744071.tif 000006
【図６】
0003744071.tif 000007
【図７】
0003744071.tif 000008
【図８】
0003744071.tif 000009
【図９】
0003744071.tif 000010
【図１０】
0003744071.tif 000011
【図１１】
0003744071.tif 000012
【図１２】
0003744071.tif 000013
【図１３】
0003744071.tif 000014
【図１４】
0003744071.tif 000015